(57)【要約】【課題】  ビデオ・インタフェース・アウトレットおよびイヤホン・ライン・アウトレット用に共通に使用される検出デバイスおよび方法を提供すること。【解決手段】  ビデオ・インタフェース・アウトレットおよびイヤホン・ライン・アウトレット用に共通に使用される検出方法であって、  （１）検出デバイスに対して４端子アウトレット内にプラグが挿入されているか否かの検出を可能し、挿入されていなければ検出を継続し、挿入されていれば次のステップに進ませるステップと、（２）前記検出デバイスに対して、前記４端子アウトレットのビデオ出力端子のインピーダンス値がプリセット値より大きいか否かの検出を可能し、大きければ前記検出デバイスによりビデオ信号を出力させるように前記ビデオ出力端子を制御し、大きくなければ前記検出デバイスによりビデオ信号を出力させないように前記ビデオ信号出力端子を制御するステップとを含む。【選択図】  図４
2005123672.tif 000002
【特許請求の範囲】
【請求項１】
ビデオ・インタフェース・アウトレットおよびイヤホン・ライン・アウトレット用に共通に使用される検出方法であって、
（１）検出デバイスに対して４端子アウトレット内にプラグが挿入されているか否かの検出を可能にし、挿入されていなければ検出を継続し、挿入されていれば次のステップに進ませるステップと、
（２）前記検出デバイスに対して、前記４端子アウトレットのビデオ出力端子のインピーダンス値がプリセット値より大きいか否かの検出を可能にし、大きければ前記検出デバイスによりビデオ信号を出力させるように前記ビデオ出力端子を制御し、大きくなければ前記検出デバイスによりビデオ信号を出力させないように前記ビデオ信号出力端子を制御するステップと
を含む方法。
【請求項２】
前記検出デバイスが前記４端子アウトレットのプラグ検出端子およびビデオ出力端子に接続されており、前記検出デバイスが前記プラグ検出端子内にプラグが挿入されている旨のメッセージを検出したときに、前記検出デバイスは前記ビデオ信号出力端子に対して前記ビデオ出力端子の出力インピーダンス値に従ってビデオ信号を出力させるあるいはビデオ信号を出力させないような制御信号を送出している、請求項１に記載の方法。
【請求項３】
前記検出デバイスが、前記４端子アウトレットの前記プラグ検出端子、第１、第２および第３の切り替えチップの制御信号入力端子並びにトランジスタの信号出力端子にそれぞれ接続したマイクロプロセッサを備えており、前記第１および第２の切り替えチップはさらにそれぞれ対応する抵抗器を介して前記トランジスタに接続されており、検出用電源入力端子が前記第１の切り替えチップに接続されており、前記電源入力端子は前記第１の切り替えチップが開放されているとき前記対応する抵抗器を介してそれぞれ前記トランジスタおよび前記第２の切り替えチップに連絡しており、前記第２の切り替えチップはさらに前記アウトレットのビデオ出力端子に接続されており、前記マイクロプロセッサは前記マイクロプロセッサが前記プラグ検出端子内にプラグが挿入されている旨のメッセージを検出したときに前記第１の切り替えチップおよび前記第２のチップのそれぞれを前記制御信号入力端子を介してそれぞれ開放させるための信号を送出しており、前記検出用電源が前記トランジスタおよび前記第２の切り替えチップに送られるようにし前記第２の切り替えチップが前記トランジスタの信号出力端子に対して前記出力インピーダンスのレベル状態を前記マイクロプロセッサにフィードバックさせる際に前記ビデオ出力端子の出力インピーダンス値に依存するようにしており、次いで前記マイクロプロセッサが前記第３の切り替えチップに対してビデオ信号を出力させるあるいはビデオ信号を前記ビデオ信号出力端子に出力させないように増幅器を制御する制御信号を前記第３の切り替えチップに送出している、請求項２に記載の方法。
【請求項４】
前記マイクロプロセッサが次いで、前記第３のスイッチに制御信号を送出し、また一方では、前記第１および第２の切り替えチップを閉じさせる制御信号を送出している、請求項３に記載の方法。
【請求項５】
ビデオ・インタフェース・アウトレットおよびイヤホン・ライン・アウトレット用に共通に使用される検出デバイスであって、４端子アウトレットのプラグ検出端子およびビデオ出力端子のそれぞれに接続させ、これによって前記検出デバイスは、前記プラグが前記プラグ検出端子に挿入されている旨のメッセージを検出したときに前記ビデオ出力端子の出力インピーダンス値に従って、挿入されたプラグの種類を判別できるようにした検出デバイス。
【請求項６】
前記検出デバイスが、前記４端子アウトレットの前記プラグ検出端子、第１および第２の切り替えチップの制御信号入力端子並びにトランジスタの信号出力端子にそれぞれ接続したマイクロプロセッサを備えており、前記第１および第２の切り替えチップはさらにそれぞれ対応する抵抗器を介して前記トランジスタに接続されており、検出用電源入力端子が前記第１の切り替えチップに接続されており、前記第２の切り替えチップはさらに前記アウトレットのビデオ出力端子に接続されており、それにより前記マイクロプロセッサは前記マイクロプロセッサが前記プラグ検出端子内にプラグが挿入されている旨のメッセージを検出したときに前記第１の切り替えチップおよび前記第２のチップのそれぞれを前記制御信号入力端子を介してそれぞれ開放させるための信号を送出しており、前記検出用電源が前記トランジスタおよび前記第２の切り替えチップに送られるようにし前記第２の切り替えチップが前記トランジスタの信号出力端子に対して前記出力インピーダンスのレベル状態を前記マイクロプロセッサにフィードバックさせ前記挿入されたプラグの種類を判別する際に前記ビデオ出力端子の出力インピーダンス値に依存するようにしている、請求項５に記載のデバイス。
【請求項７】
前記マイクロプロセッサがさらに第３の切り替えチップの制御信号入力端子に接続されており、前記第３の切り替えチップはさらにビデオ信号増幅器の電源に接続されており、前記マイクロプロセッサが前記トランジスタの信号出力端子が高電圧レベルにあるか低電圧レベルにあることを検出した時点で、前記マイクロプロセッサは前記第３の切り替えチップに対してビデオ信号を出力させるあるいはビデオ信号を出力させないように前記増幅器を制御している制御信号を前記第３の切り替えチップに送出している、請求項６に記載のデバイス。
【発明の詳細な説明】
【技術分野】
【０００１】
本発明は、ビデオ／オーディオ・プレーヤのビデオ／オーディオ・アウトレットに関し、さらに詳細には、可搬型レコーダ／プレーヤまたは可搬型プレーヤのビデオおよびオーディオ・アウトレット用に共通に使用される検出デバイスおよび方法に関する。
【背景技術】
【０００２】
一般的な可搬型ビデオ・レコーダ／プレーヤおよびビデオ・プレーヤのビデオ／オーディオ出力インタフェースを図１に表している。このインタフェースは、４端子アウトレット１０、並びに対応する回路構造２０を備える。アウトレット１０は、接地端子１１、ビデオ出力端子１２、第１のオーディオ出力端子１３および第２のオーディオ出力端子１４を含んでおり、これらはそれぞれ図２に示すビデオ／オーディオ４端子プラグ３０の接地端子３１、ビデオ入力端子３２、第１のオーディオ入力端子３３および第２のオーディオ入力端子３４と接触している。第１のオーディオ出力端子１３はプッシュロッド１５に接続されている。プラグ３０が挿入されて第１のオーディオ出力端子１３に接触したとき、プッシュロッド１５が同時に押されて検出線１６を接地線１７から分離させることができる。回路構造２０のビデオ信号出力端子２１、第２のオーディオ信号出力端子２２、第１のオーディオ信号出力端子２３およびプラグ検出端子エンド２４はそれぞれ、アウトレット１０のビデオ出力端子１２、第２のオーディオ出力端子１４、第１のオーディオ出力端子１３および検出線１６と連絡している。
【発明の開示】
【発明が解決しようとする課題】
【０００３】
目下のところ、一般的なビデオ／オーディオ・デバイスは、イヤホン３端子アウトレットおよびビデオ４端子アウトレットをそれぞれ有している。図２および３を参照されたい。ビデオ／オーディオ・デバイスのボリュームを低下させてさらに小さく見せるためには、３端子イヤホン・プラグ４０および４端子ビデオ・プラグ３０を共通に使用される４端子アウトレット内に挿入しなければならない。最も一般に使用される方法は、アウトレットの構造を変更し、該構造を共通に使用せねばならないときにどの種類のプラグが挿入されたのかを判定できるようにすることである。そうでなければ、１つのプラグにそれぞれの出力線を複数備えさせなければならない。しかし、３．５φまたは２．５φの直径を有する標準的なイヤホン・プラグがまだ使用されている場合、アウトレットの変更は現実的ではない。取りうる唯一の方法は、標準挿入穴の４端子アウトレットを使用し、さらに手動操作方式の出力モードと協働させて操作することである。たとえば、ビデオ出力およびオーディオ出力の共通出力のために図１に示す４端子アウトレット１０などを有するビデオ／オーディオ・デバイスがすでに市場に出回っている。しかし、ユーザは手動操作方式を用いることによって、同時にビデオ信号を出力させるか否かを選択しなければならない。３端子イヤホン・アウトレット４０を挿入した場合、ユーザはビデオ信号を出力させないように選択し、内蔵型ホーン・デバイスを遮断しなければならない。一方４端子ビデオ・プラグ３０を挿入した場合、ユーザはステレオ音響信号を出力させることおよび内蔵型ホーン・デバイスを遮断することを選択するだけではなく、システムによるビデオ信号の出力を可能にさせなければならない。上述した出力モード切り替えのための操作ではかなりの時間の無駄となり、出力モードの切り替えに不慣れなユーザにとっては不便である。プラグ４０が挿入されると、プラグ４０の第１のオーディオ入力端子４１および第２のオーディオ入力端子４２はそれぞれ、第１のオーディオ出力端子１３および第２のオーディオ出力端子１４に接触する。しかし、プラグ４０の接地端子４３は同時にアウトレット１０の接地端子１１およびビデオ出力端子１２に接触している。ビデオ信号出力が停止されていないと、ビデオ信号はビデオ出力端子１２に連続して伝送され、さらに結果として接地端子１１に伝送される。このことは電気を無駄にするだけでなく、回路内の部品を損傷するおそれもある。
【０００４】
本発明の主たる目的は、４端子アウトレットをより便利に使用できるようにするため、並びに４ビデオ端子および３端子イヤホン・プラグが挿入されている間において４端子アウトレットのビデオ出力端子の位置で異なるインピーダンスを検出することによって回路内の部品の損傷を防止するため、どの種類のプラグが挿入されたかを判定しかつ対応する信号を出力することによってビデオ・インタフェース・アウトレットおよびイヤホン・ライン・アウトレット用に共通に使用される検出デバイスおよび方法を提供することである。
【課題を解決するための手段】
【０００５】
そこで、本発明は、ビデオ・インタフェース・アウトレットおよびイヤホン・ライン・アウトレット用に共通に使用される検出方法であって、
（１）検出デバイスに対して４端子アウトレット内にプラグが挿入されているか否かの検出を可能にし、挿入されていなければ検出を継続し、挿入されていれば次のステップに進ませるステップと、
（２）前記検出デバイスに対して、前記４端子アウトレットのビデオ出力端子のインピーダンス値がプリセット値より大きいか否かの検出を可能にし、大きければ前記検出デバイスによりビデオ信号を出力させるように前記ビデオ出力端子を制御し、大きくなければ前記検出デバイスによりビデオ信号を出力させないように前記ビデオ信号出力端子を制御するステップとを含む方法である。
又、前記検出デバイスが前記４端子アウトレットのプラグ検出端子およびビデオ出力端子に接続されており、前記検出デバイスが前記プラグ検出端子内にプラグが挿入されている旨のメッセージを検出したときに、前記検出デバイスは前記ビデオ信号出力端子に対して前記ビデオ出力端子の出力インピーダンス値に従ってビデオ信号を出力させるあるいはビデオ信号を出力させないような制御信号を送出していることが好適である。
又、前記検出デバイスが、前記４端子アウトレットの前記プラグ検出端子、第１、第２および第３の切り替えチップの制御信号入力端子並びにトランジスタの信号出力端子にそれぞれ接続したマイクロプロセッサを備えており、前記第１および第２の切り替えチップはさらにそれぞれ対応する抵抗器を介して前記トランジスタに接続されており、検出用電源入力端子が前記第１の切り替えチップに接続されており、前記電源入力端子は前記第１の切り替えチップが開放されているとき前記対応する抵抗器を介してそれぞれ前記トランジスタおよび前記第２の切り替えチップに連絡しており、前記第２の切り替えチップはさらに前記アウトレットのビデオ出力端子に接続されており、前記マイクロプロセッサは前記マイクロプロセッサが前記プラグ検出端子内にプラグが挿入されている旨のメッセージを検出したときに前記第１の切り替えチップおよび前記第２のチップのそれぞれを前記制御信号入力端子を介してそれぞれ開放させるための信号を送出しており、前記検出用電源が前記トランジスタおよび前記第２の切り替えチップに送られるようにし前記第２の切り替えチップが前記トランジスタの信号出力端子に対して前記出力インピーダンスのレベル状態を前記マイクロプロセッサにフィードバックさせる際に前記ビデオ出力端子の出力インピーダンス値に依存するようにしており、次いで前記マイクロプロセッサが前記第３の切り替えチップに対してビデオ信号を出力させるあるいはビデオ信号を前記ビデオ信号出力端子に出力させないように増幅器を制御する制御信号を前記第３の切り替えチップに送出していることが好適である。
又、前記マイクロプロセッサが次いで、前記第３のスイッチに制御信号を送出し、また一方では、前記第１および第２の切り替えチップを閉じさせる制御信号を送出していることが好適である。
さらに、本発明の検出デバイスは、ビデオ・インタフェース・アウトレットおよびイヤホン・ライン・アウトレット用に共通に使用される検出デバイスであって、４端子アウトレットのプラグ検出端子およびビデオ出力端子のそれぞれに接続させ、これによって前記検出デバイスは、前記プラグが前記プラグ検出端子に挿入されている旨のメッセージを検出したときに前記ビデオ出力端子の出力インピーダンス値に従って、挿入されたプラグの種類を判別できるようにしたことからなる。
又、前記検出デバイスが、前記４端子アウトレットの前記プラグ検出端子、第１および第２の切り替えチップの制御信号入力端子並びにトランジスタの信号出力端子にそれぞれ接続したマイクロプロセッサを備えており、前記第１および第２の切り替えチップはさらにそれぞれ対応する抵抗器を介して前記トランジスタに接続されており、検出用電源入力端子が前記第１の切り替えチップに接続されており、前記第２の切り替えチップはさらに前記アウトレットのビデオ出力端子に接続されており、それにより前記マイクロプロセッサは前記マイクロプロセッサが前記プラグ検出端子内にプラグが挿入されている旨のメッセージを検出したときに前記第１の切り替えチップおよび前記第２のチップのそれぞれを前記制御信号入力端子を介してそれぞれ開放させるための信号を送出しており、前記検出用電源が前記トランジスタおよび前記第２の切り替えチップに送られるようにし前記第２の切り替えチップが前記トランジスタの信号出力端子に対して前記出力インピーダンスのレベル状態を前記マイクロプロセッサにフィードバックさせ前記挿入されたプラグの種類を判別する際に前記ビデオ出力端子の出力インピーダンス値に依存するようにしていることが好適である。
又、前記マイクロプロセッサがさらに第３の切り替えチップの制御信号入力端子に接続されており、前記第３の切り替えチップはさらにビデオ信号増幅器の電源に接続されており、前記マイクロプロセッサが前記トランジスタの信号出力端子が高電圧レベルにあるか低電圧レベルにあることを検出した時点で、前記マイクロプロセッサは前記第３の切り替えチップに対してビデオ信号を出力させるあるいはビデオ信号を出力させないように前記増幅器を制御している制御信号を前記第３の切り替えチップに送出していることが好適である。
【発明を実施するための最良の形態】
【０００６】
以下の説明および添付の図面を参照することによって、本発明のより十分な理解を得ることができる。
図４を参照されたい。ビデオ／オーディオ・インタフェース・アウトレットおよびイヤホン・ライン・アウトレットを共通に使用できるようにした本発明による検出方法は次のステップを含む。
すなわち、ステップ４０１および４０２では、４端子アウトレット内に３端子または４端子プラグが挿入されているか否かの検出を検出デバイスに対して可能にし、プラグが挿入されていなければ検出を継続し、さもなくば次のステップに進ませ、またステップ４０３および４０４では、４端子アウトレットのビデオ／オーディオ出力端子の出力インピーダンスがプリセット値より大きいか否かの検出デバイスによる検出を可能にし、判定がＹｅｓの場合はビデオ信号を出力させるようにビデオ信号出力端子を制御することを検出デバイスに可能にさせるようなステップ４０５に進み、また判定がＮｏの場合はビデオ信号を出力させないようにビデオ信号出力端子を制御することを検出デバイスに可能にさせるようなステップ４０６に進ませる。
【０００７】
図１、２および３を参照されたい。検出デバイスは、このビデオ／オーディオ接続線の４端子プラグ３０が挿入されたときに、ビデオ受信デバイスの入力端子が入力インピーダンス７５Ωを有するか、あるいはビデオ／オーディオ接続線３５がビデオ受信デバイスに接続されていない場合に無限に大きな開回路インピーダンスが存在するかに基づいて、４端子プラグ３０の挿入を検出することができる。ビデオ出力端子１２と接地端子１１の両者は、接地端子４３に接触していると共に、３端子イヤホン・プラグ４０が挿入されているときにビデオ出力端子１２の出力インピーダンスをより小さくさせるように互いに連絡している。一方３端子イヤホン・プラグ４０の挿入は、検出デバイスがビデオ出力端子１２でより小さい出力インピーダンス（たとえば、その値が６０Ω未満など）を検出したときにビデオ信号を出力させないようにビデオ信号出力端子２１を制御するために検出することができる。
【０００８】
次に、図５を参照されたい。検出デバイス５０は、マイクロプロセッサ５１（Ｍｉｃｒｏｐｒｏｃｅｓｓｏｒ  ＡＲＭ７など）と、第１および第２の切り替えチップ５２、５３と、トランジスタ５４と、対応する抵抗器Ｒ２、Ｒ３およびＲ４と、を備える。マイクロプロセッサ５１は、図１に示すプラグ検出端子２４と、第１および第２の切り替えチップ５２、５３の制御信号入力端子５５、５６と、トランジスタ５４の信号出力端子５７と、にそれぞれ接続している。第１および第２の切り替えチップ５２および５３はさらに、対応する抵抗器Ｒ２、Ｒ３およびＲ４を介してそれぞれトランジスタ５４に接続している。検出用電源入力端子５８は第１の切り替えチップ５２に接続している。第１の切り替えチップ５２が開放されているときには、電源入力端子５８は対応する抵抗器Ｒ２、Ｒ３およびＲ４を介してそれぞれトランジスタ５４および第２の切り替えチップ５３に接続している。第２の切り替えチップ５３はさらに、プラグ１０のビデオ出力端子１２に接続している。マイクロプロセッサ５１は、プラグ検出端子２４内にプラグが挿入されている旨のメッセージを検出した後おおむね０．３秒後に第１および第２の切り替えチップ５２および５３を制御信号入力端子５５および５６から開放させ、検出用電源をトランジスタ５４および第２の切り替えチップ５３に伝送させ、かつ第２の切り替えチップ５３によってトランジスタ５４の信号出力端子５７が出力インピーダンスのレベル状態をマイクロプロセッサ５１にフィードバックしてビデオ出力端子１２の出力インピーダンス値に従って挿入されたプラグの種類を判定することを可能にさせるための信号を送出している。次に、図２および３について考察する。３端子イヤホン・プラグ４０が挿入された場合には、出力インピーダンスをより小さくさせ、これによって出力インピーダンスはより小さくなり、ビデオ出力端子１２と接地端子１１の両者は接地端子４３と接触していると共に互いに連絡しているため、トランジスタ５４の信号出力端子５７は高電圧レベルになる。４端子ビデオ／オーディオ・プラグ３０が挿入されている場合には、出力インピーダンスは低くなることはなく、また無限の開回路インピーダンスを有することもなく、ビデオ出力端子１２と接地端子１１は連絡していないため、出力インピーダンスはトランジスタ５４の信号出力端子５７を低電圧レベルとさせるような高い値となる。
【０００９】
図５および６を参照されたい。トランジスタ５１はさらに、第３の切り替えチップ６０の制御信号入力端子６１に接続しており、またこの周知の第３の切り替えチップ６０はさらに、周知のビデオ信号増幅器７０の電源端子に接続している。
【００１０】
マイクロプロセッサ５１がトランジスタ５４の信号出力端子５７が高電圧レベルにあるか、あるいは低電圧レベルにあるかを検出した際に、マイクロプロセッサ５１は、第３の切り替えチップ６０に対してビデオ信号出力端子２１にビデオ信号を出力させるかあるいはビデオ信号を出力させないように増幅器７０を制御させるための制御信号を第３の切り替えチップ６０に送出する。一方、マイクロプロセッサ５１は、電気を節約するように第１および第２の切り替えチップ５２および５３を閉じさせ、かつビデオ信号が増幅器７０から出力されている場合にビデオ信号を遮断させるための制御信号を送出する。本発明の第１、第２および第３の切り替えチップ５２、５３および６０はシリアルナンバーＵＭＣ２Ｎの切り替えチップとすることができる。
【００１１】
本発明は、４端子ビデオ／オーディオ・アウトレット内に３端子イヤホン・プラグまたは４端子ビデオ／オーディオ・プラグが挿入されていることを自動的に検出し、ビデオ信号を出力させるか否かについてビデオ信号出力端子を自動的に制御することができる。ユーザはシステムの出力モードを手作業で選択する必要がないため、操作がより単純で、便利で、かつスピーディとなる。さらに、ユーザが適正な出力モードの選択を忘れたり、適正な出力モードを選択できないような場合であっても、システムの回路内の部品は損傷を受けることがない。本発明によれば、ユーザは出力モードを手作業で操作する必要がなく、標準の３端子イヤホン・プラグに対応した４端子アウトレットを保持することができ、操作が簡略化でき、誤操作をなくすことができ、またシステム内の部品の損傷を防止することができる。
【００１２】
本発明による検出デバイスで必要となるのは、２つの切り替えチップ、１つのトランジスタ、および対応する３つの抵抗器のみであり、構造が単純でありかつコストが低い場合であっても極めて良好な結果を得ることができる。ビデオ・インタフェース・アウトレットおよびイヤホン・ライン・アウトレット用に共通に使用される上述した検出デバイスおよび方法は、例示のみを目的とした本発明の好ましい実施形態であり、開示した本発明の範囲および限界を規定することを意図したものではない。当業者にとって明らかであるような任意の修正形態および変形形態は、本発明の範囲に包含されることを意図している。
【図面の簡単な説明】
【００１３】
【図１】一般的なビデオ／オーディオ出力インタフェースの概略図である。
【図２】一般的な４端子ビデオ／オーディオ・プラグの概略図である。
【図３】一般的な３端子イヤホン・プラグの概略図である。
【図４】本発明による検出方法の流れ図である。
【図５】ビデオ／オーディオ出力インタフェースと本発明の検出デバイスとの間の接続を表した概略図である。
【図６】本発明の検出デバイスに接続したビデオ／オーディオ出力制御回路を表した概略図である。
【符号の説明】
【００１４】
１０  ４端子アウトレット
１１  接地端子
１２  ビデオ出力端子
１３  第１のオーディオ出力端子
１４  第２のオーディオ出力端子
１５  プッシュロッド
１６  検出線
１７  接地線
２０  回路構造
２１  ビデオ信号出力端子
２２  第２のオーディオ信号出力端子
２３  第１のオーディオ信号出力端子
２４  プラグ検出端子
３０  ビデオ／オーディオ４端子プラグ
３１  接地端子
３２  ビデオ入力端子
３３  第１のオーディオ入力端子
３４  第２のオーディオ入力端子
３５  ビデオ／オーディオ接続線
４０  ３端子イヤホン・プラグ
４１  第１のオーディオ入力端子
４２  第２のオーディオ入力端子
４３  接地端子
５０  検出デバイス
５１  マイクロプロセッサ
５２  第１の切り替えチップ
５３  第２の切り替えチップ
５４  トランジスタ
５５  制御信号入力端子
５６  制御信号入力端子
５７  トランジスタの信号出力端子
５８  検出用電源入力端子
６０  第３の切り替えチップ
６１  制御信号入力端子
７０  ビデオ信号増幅器
Ｒ２  抵抗器
Ｒ３  抵抗器
Ｒ４  抵抗器
【図１】
2005123672.tif 000003
【図２】
2005123672.tif 000004
【図３】
2005123672.tif 000005
【図４】
2005123672.tif 000006
【図５】
2005123672.tif 000007
【図６】
2005123672.tif 000008